(57)【要約】      （修正有）【課題】非使用時の保管性に優れ、使用時には人形を含めた装飾品を載置するための一体化された大きなスペースを容易に形成することのできる人形飾りセットを提供する。【解決手段】人形４Ａ〜４Ｇを含む装飾品が収められるケース本体２とケース本体の上端開口部２Ａを塞ぐ上蓋３とから成る収納ケース１を飾り台とし、上蓋３上に装飾品を載置して飾る構成とされる人形飾りセットである。上蓋３とは別に装飾品を載置するための棚板５を備え、ケース本体２の外壁部には棚板５を着脱自在にして水平状に支持する棚受けが固設される。特に、棚受け上に配した棚板５は、装飾品を載置する領域を残してその内側縁が上蓋３により上方から押え付けられる。【選択図】図１
0003109554.tif 000002
【実用新案登録請求の範囲】
【請求項１】
人形を含む装飾品が収められるケース本体と該ケース本体の上端開口部を塞ぐ上蓋とから成る収納ケースを飾り台とし、前記上蓋上に装飾品を載置して飾る構成とされる人形飾りセットにおいて、前記上蓋とは別に装飾品を載置するための棚板を備え、前記ケース本体の外壁部には前記棚板を着脱自在にして水平状に支持する棚受けが固設され、その棚受け上に配した棚板が装飾品を載置する領域を残してその内側縁を前記上蓋により上方から押え付けられる構成としたことを特徴とする人形飾りセット。
【請求項２】
棚板が少なくとも二枚の板材をヒンジ金具で結合した折畳み可能な構造であり、これを折畳んでケース本体内に収納可能とされると共に、前記棚板の展開時にはその全長がケース本体の前面幅より大きくなるよう設定されることを特徴とする請求項１記載の人形飾りセット。
【請求項３】
棚板がケース本体の前面より前方に張り出す前方領域とケース本体の両側面より側方に張り出す側方領域とを有する一方、棚受けは前記棚板の前方領域を支持する部分と側方領域を支持する部分を有することを特徴とする請求項１又は２記載の人形飾りセット。
【請求項４】
収納ケースを包装する外装箱を備え、その外装箱は前記収納ケースを囲む４つの壁面部を有した外装箱本体と該外装箱本体の上端開口部を塞ぐ外装蓋とから成り、前記外装箱本体を形成する４つの壁面部のうち、少なくとも一つが前記外装蓋の取り外しにより開放可能となる扉板とされていることを特徴とする請求項１〜３の何れかに記載の人形飾りセット。
【考案の詳細な説明】
【技術分野】
【０００１】
本考案は、上巳や端午の節句などに用いられる人形飾りセットに係わり、特に非使用時の保管性に優れ、使用に際しては派手やかな飾り付けを行うことのできる人形飾りセットに関する。
【背景技術】
【０００２】
一般に、女児のある家では三月三日の節句に雛壇を作って内裏雛をはじめとする雛人形などを飾り、男児のある家では五月五日の節句に兜人形などを飾るが、それら人形を含めた装飾品の種類や飾り台の形態は多種多様である。
【０００３】
例えば、飾り台としての雛壇は一段だけのものから複数段のものまで存在し、雛壇に飾る装飾品では内裏雛をはじめとする雛人形のほか、屏風、雪洞、供え物を載せる膳など様々なものが知られる。尚、雛壇をはじめとする飾り台の多くは板材などから成る組立式であり、非使用時には分解して小さく纏めることができる。
【０００４】
然し、従来から知られる雛壇その他の飾り台によれば、多数の部品から構成されるために組立／分解作業が煩わしく時間が掛かるという欠点があった。又、分解した飾り台のほか、雛人形などの装飾品は、段ボール箱などに個別に収納して保管しているため出し入れが煩わしく、しかも個別収納であるために保管中において装飾品の一部が紛失してしまうことも多い。
【０００５】
そこで、雛人形を含めた装飾品一式を所定のケースに収納可能としながら、そのケースを装飾品の飾り台として兼用できるようにした人形飾りセットを先に開発し、これを実用に供してきた（例えば、特許文献１）。
【０００６】
【特許文献１】登録実用新案第３０４９７１３号公報
【考案の開示】
【考案が解決しようとする課題】
【０００７】
上記の特許文献１に開示される人形飾りセットは、ケースが装飾品の収納兼飾り台として用いられることから、非使用時の保管性に優れ、使用時には装飾品の飾り付け作業を容易に行えるとして一般に広く賞用されているが、人形を含めた装飾品はケースの上蓋上に配されるだけなので、７段飾りをはじめとする従来の大型品に比べて見劣りするという問題があった。
【０００８】
このため、飾り台を成すケースの前方に、これと別体の台を配して該台上にも装飾品を載置できるようにしたものを提案しているが、係る台は複数段の棚板から構成されるために組立や分解に時間を要し、しかも使用に際してケースの前方に配置されるだけなのでケースと前方の台が互いに離間して体裁を損なってしまうことがあった。
【０００９】
本考案は以上のような事情に鑑みて成されたものであり、その目的は非使用時の保管性に優れ、使用時には人形を含めた装飾品を載置するための一体化された大きなスペースを容易に形成することのできる人形飾りセットを提供することにある。
【課題を解決するための手段】
【００１０】
本考案は上記目的を達成するため、人形を含む装飾品が収められるケース本体と該ケース本体の上端開口部を塞ぐ上蓋とから成る収納ケースを飾り台とし、前記上蓋上に装飾品を載置して飾る構成とされる人形飾りセットにおいて、前記上蓋とは別に装飾品を載置するための棚板を備え、前記ケース本体の外壁部には前記棚板を着脱自在にして水平状に支持する棚受けが固設され、その棚受け上に配した棚板が装飾品を載置する領域を残してその内側縁を前記上蓋により上方から押え付けられる構成としたことを特徴とする。
【００１１】
又、上記のような人形飾りセットにおいて、棚板が少なくとも二枚の板材をヒンジ金具で結合した折畳み可能な構造であり、これを折畳んでケース本体内に収納可能とされると共に、前記棚板の展開時にはその全長がケース本体の前面幅より大きくなるよう設定されることを特徴とする。
【００１２】
加えて、棚板がケース本体の前面より前方に張り出す前方領域とケース本体の両側面より側方に張り出す側方領域とを有する一方、棚受けは前記棚板の前方領域を支持する部分と側方領域を支持する部分を有することを特徴とする。
【００１３】
更に、収納ケースを包装する外装箱を備え、その外装箱は前記収納ケースを囲む４つの壁面部を有した外装箱本体と該外装箱本体の上端開口部を塞ぐ外装蓋とから成り、前記外装箱本体を形成する４つの壁面部のうち、少なくとも一つが前記外装蓋の取り外しにより開放可能となる扉板とされていることを特徴とする。
【考案の効果】
【００１４】
本考案に係る人形飾りセットによれば、ケース本体の外壁部に棚受けを固設していることから煩雑な組立作業を要せず、棚受け上に棚板を配するだけで装飾品を載置する大きなスペースを短時間で容易に形成することができる。
【００１５】
特に、棚受け上に配した棚板が装飾品を載置する領域を残してその内側縁を上蓋により上方から押え付けられる構成としたことから、ネジなどを用いることなく上蓋の重量で棚板をがたつき無く安定状態に保つことができる。
【００１６】
又、棚板を折畳んでケース本体内に収納できる構成としていることから、保管中に棚板が紛失してしまう虞が少なく、しかも棚板の展開時にはその全長がケース本体の前面幅より大きくなるよう設定されていることから、多数の装飾品を派手やかに飾り付けることができる。
【００１７】
加えて、棚受けが棚板の前方領域と側方領域を支持する部分を有していることから棚板の安定性が上がり、しかも収納ケースを保管する際などには棚板の側方領域を支持する棚受けの部分を把持してケース本体を容易に持ち上げることができる。
【００１８】
更に、収納ケースを包装する外装箱を備えることから、収納ケースを傷付けずにその運搬や保管を行うことができ、しかも外装箱本体を形成する４つの壁面部のうち少なくとも一つが外装蓋の取り外しにより開放可能となる扉板とされていることから、収納ケースの出し入れを容易に行うことができる。
【考案を実施するための最良の形態】
【００１９】
以下、本考案を図面に基づいて詳しく説明する。先ず、図１は本考案に係る人形飾りセットの使用態様を示す。図１において、１は桐や桧といった木材から形成される飾り台兼収納ケースであり、この収納ケース１（飾り台）は後述する装飾品などを収納可能とする容積を有した四角形状のケース本体２と、その上端に嵌合して該ケース本体の上端開口部を塞ぐ着脱自在な上蓋３とで構成される。特に、ケース本体２と上蓋３の外表面には漆などによる塗装が施され、上蓋３上には五体の人形４Ａ〜４Ｅをはじめとする種々の装飾品が載置される。
【００２０】
一方、５は所定の高さ位置に配される着脱自在な棚板であり、この棚板５も桐や桧を素材としてその表面に漆などによる塗装が施される。特に、係る棚板５上にも二体の人形４Ｆ，４Ｇをはじめとする装飾品が載置される構成としてある。
【００２１】
ここで、上記の装飾品は、本例において内裏雛人形４Ａ，４Ｂを含む七体の人形４Ａ〜４Ｇのほか、上蓋３上に配置される屏風４Ｈ、雪洞４Ｊ、桃の花４Ｋ（造花）、欄干４Ｌ、上蓋３と棚板５との間に掛け渡される階段４Ｍ、並びにケース本体２の前方に配置される料理箱４Ｎなどから構成される。
【００２２】
そして、その種の装飾品は使用に際して図１のように飾り台を構成する上蓋３、並びに棚板５の上などに載置され、使用後には棚板５及び人形４Ａ〜４Ｇを含む装飾品の一式をケース本体２内に収納して押入れなどに一まとめにして保管することのできる構成とされる。
【００２３】
図２は以上のような飾り台を構成する収納ケースの保管時の状態であり、図３には飾り台の斜視分解図を示す。これらの図で明らかなように、ケース本体２の外壁部には鍔状の棚受け６が設けられる。棚受け６は棚板５を所定の高さ位置で着脱自在にして水平状に支持するものであるが、本例において係る棚受け６は、ケース本体２の前面と両側面と背面との上部位置に連続して固設され、ケース本体２の上端開口部２Ａを上蓋３で塞いだときに該上蓋の下端面が図２のように棚受け６により支持されると共に、その棚受け６の両側部分を把持してケース本体２を容易に持ち上げ得るようにしてある。
【００２４】
一方、係る棚受け６により支持される棚板５は、Ｌ字形をした二枚の板材５Ａ，５Ｂを図示せぬヒンジ金具で結合することにより、図４のように二枚の板材５Ａ，５Ｂの接合部分において２つに折畳み可能な構成とされる。
【００２５】
そして、係る棚板５は二つに折畳んでケース本体２内に収納することができ、これを展開したときには全体としてコ字形となり、その全長Ｌがケース本体２の前面幅より大きくなるようにしてある。
【００２６】
特に、棚板５はケース本体３の前面より張り出す前方領域５１と、ケース本体２の両側面より側方に張り出す側方領域５２，５２とを有し、それら前方領域５１と側方領域５２が棚受け６により支持され、この状態でケース本体２に上蓋３を嵌合することにより、図５、図６に示す如く棚板５が前方領域５１に装飾品を載置する領域を残し、その内側縁（図３のハッチング部分）を上蓋３により上方から押え付けられて棚受け６との間に挟持されるようにしてある。
【００２７】
このため、棚板５はがたつき無く安定し、前方領域５１に装飾品を載置した場合でも傾くことなく水平状態を保つことができる。
【００２８】
尚、棚受け６はケース本体２の外壁部においてその各面に連続して設けることに限らず、これをケース本体２の両側面中央部のみに固設してもよく、この場合でも係る棚受け６を把手としてケース本体２を容易に持ち上げることが可能である。
【００２９】
又、本例において、棚板５はコ字形に展開する構成としたが、これを方形枠状に展開する構成にしてケース本体２の背面側にも装飾品を載置する領域を確保することが可能となる。更に、図示例では、棚板５の側方領域５２が前方領域５１に対して幅狭とされているが、側方領域５２を幅広にして該側方領域にも装飾品を載置することが可能となる。
【００３０】
次に、図７において、７は上記のような収納ケース１を包装する外装箱（外装用段ボール箱）であり、この外装箱７は外装箱本体８とその上端開口部８Ａを塞ぐ外装蓋９とで構成される。外装箱本体８は、矩形の底面部８１とその周縁より立ち上がる４つの壁面部８２，８３，８４，８５とで形成され、その各壁面部８２〜８５により収納ケース１が四方を囲まれる構成とされる。
【００３１】
特に、本例によれば、外装箱本体８の前面側の壁面部８２と両側面側の壁面部８３，８４とが交わる稜線部分を切断することにより、前面を成す壁面部８２が扉板として底面部８１と交わる稜線部分を中心に開閉動作を行うようにしてある。
【００３２】
そして、扉板を成す壁面部８２は外装箱本体８から外装蓋９を取り外すことにより開放を許容され、この状態では収納ケース１を前後移動させるだけでその出し入れを容易に行うことができ、壁面部８２を起立状態に閉鎖して外装箱本体８の上端に外装蓋９を嵌合したときには係る壁面部８２の開放が規制されるようになっている。
【００３３】
このような外装箱７によれば、収納ケース１に傷を付けることなくその運搬や保管を好適に行うことができ、収納ケース１の使用時や使用後にはこれを外装箱７にて容易に包装することができる。
【００３４】
尚、壁面部８２は、壁面部８３と交わる稜線部分及び底面部８１と交わる稜線部分を切断することにより、壁面部８４と交わる稜線部分を中心に開閉動作するようにしてもよい。又、壁面部８２に限らず、壁面部８２〜８５の何れか一つ、又はそれら全てを上記のような扉板とするにしてもよい。
【００３５】
以上、本考案に係る人形飾りセットについて説明したが、装飾品は雛人形を含んだものに限らず、雛人形に代えて兜人形などを用いてもよい。
【図面の簡単な説明】
【００３６】
【図１】本考案に係る人形飾りセットの使用態様を示す斜視図
【図２】飾り台を構成する収納ケースの斜視図
【図３】飾り台の斜視分解図
【図４】棚板を折畳んだ状態を示す斜視図
【図５】収納ケースを飾り台とした状態を示す斜視図
【図６】飾り台の断面図
【図７】外装箱を示す斜視図
【符号の説明】
【００３７】
１  収納ケース
２  ケース本体
３  上蓋
４Ａ〜４Ｇ  人形（装飾品）
４Ｈ  屏風（装飾品）
４Ｊ  雪洞（装飾品）
４Ｋ  桃の花（装飾品）
４Ｌ  欄干（装飾品）
４Ｍ  階段（装飾品）
５  棚板
６  棚受け
７  外装箱
８  外装箱本体
８２〜８５  壁面部
９  外装蓋
【図１】
0003109554.tif 000003
【図２】
0003109554.tif 000004
【図３】
0003109554.tif 000005
【図４】
0003109554.tif 000006
【図５】
0003109554.tif 000007
【図６】
0003109554.tif 000008
【図７】
0003109554.tif 000009